(57)【要約】【課題】制御装置に入力する制御パラメータの単位系を含める工学単位系の変換ができ、さらに他の演算の実施可能な制御装置を備えた産業機械を提供する。【解決手段】数値入力と機械制御用の入力手段と入力結果の表示手段からなる制御手段を備える産業機械において、入力された数値の演算手段と記憶手段とを有して入力手段によって入力された数値情報が、記憶手段に記憶されて、記憶された数値情報が演算手段の四則演算機能または工学単位変換機能によって変換されて変換値が表示される。【選択図】        図１
2004151813.tif 000002
【特許請求の範囲】
【請求項１】
数値入力および機械制御用の入力手段と入力結果の表示手段を有する制御手段を備える産業機械において、入力された数値の演算手段と記憶手段とを有して入力手段によって入力された数値情報が、記憶手段に記憶されて、記憶された数値情報が演算手段の四則演算機能または工学単位変換機能によって変換されて変換値が表示される制御手段を備える産業機械。
【請求項２】
工学単位変換機能は、非ＳＩ単位からＳＩ単位またはＳＩ単位から非ＳＩ単位に換算する機能であることを特徴とする請求項１に記載の制御手段を備える産業機械。
【請求項３】
演算手段は、さらに入力された特定国の通貨単位を異なる国の通貨単位に換算する貨幣変換機能を備えることを特徴とする請求項１乃至２いずれかに記載の制御手段を備える産業機械。
【請求項４】
演算手段が演算した数値結果を記憶装置に記録して、他の入力手段にこの数値結果を入力できることを特徴とする請求項１乃至３いずれかに記載の制御手段を備える産業機械。
【請求項５】
数値を機械制御用に入力してその入力結果を表示する産業機械の制御方法において、入力された数値が演算されてその結果が記憶装置に記憶されて、記憶された数値情報が演算されて、この演算が四則演算または工学単位変換であってその変換値が表示される産業機械の制御方法。
【請求項６】
工学単位変換は、非ＳＩ単位からＳＩ単位またはＳＩ単位から非ＳＩ単位に換算する方法であることを特徴とする請求項５に記載の産業機械の制御方法。
【請求項７】
演算は、さらに入力された特定国の通貨単位を異なる国の通貨単位に換算する貨幣変換することを特徴とする請求項５乃至６いずれかに記載の産業機械の制御方法。
【請求項８】
演算手段が演算した数値結果を記憶装置に記録して、他の入力手段にこの数値結果を入力できることを特徴とする請求項５乃至７いずれかに記載の産業機械の制御方法。
【請求項９】
数値を機械制御用に入力してその入力結果を表示する産業機械の制御プログラムにおいて、入力された数値が演算されてその結果が記憶装置に記憶されて、記憶された数値情報が演算により四則演算または工学単位変換されてその変換値が表示される産業機械の制御プログラム。
【請求項１０】
工学単位変換は、非ＳＩ単位からＳＩ単位またはＳＩ単位から非ＳＩ単位に換算する方法であることを特徴とする請求項９に記載の産業機械の制御プログラム。
【請求項１１】
演算は、入力された特定国の通貨単位を異なる国の通貨単位に換算する貨幣変換することを特徴とする請求項９乃至１０いずれかに記載の産業機械の制御プログラム。
【請求項１２】
演算手段が演算した数値結果を記憶装置に記録して、他の入力手段にこの数値結果を入力できることを特徴とする請求項９乃至１１いずれかに記載の産業機械の制御プログラム。
【発明の詳細な説明】
【０００１】
【産業上の利用分野】
本発明は、射出成型機や工作機械等の産業機械に用いられる制御装置のヒューマン・マシン・インターフェイスに係り、制御装置の操作画面に工学単位変換機能と演算機能を設けたものに関する。
【０００２】
【従来の技術】
射出成型機や工作機械等の産業機械を制御する場合、例えば加熱温度の値を制御装置に入力して所望の制御パラメータである設定値に加熱温度の値を維持する。この場合、作業者は図６に示すような操作画面７８に設けられたタッチパネルに入力することとなる。操作画面７８としては、マウス、トラックボール等のポインティングデバイスを用いて設定することもできる。図６における温度設定値ボックス２８を選択すると、図７または図８に示される数値入力画面８０または８２が別ウインドウで表示される。
【０００３】
図７は、従来の計測器の数値入力装置の入力部を模した数値入力画面８０の第１例である。数値入力画面８０は、数値表示８４の上に描かれたアップボタン８６がマウス等で１回クリックされれば１つ数値が増加し、逆にダウンボタン８８がマウス等で１回クリックされれば１つ数値が減少する。これらのボタンが操作されて所望の数値が表示されて、書換ボタン９０が選択されると、指定のパラメータが入力された値に書き換えられる。閉じボタン９２が選択されると数値入力画面８０は、操作画面２６上から消去される。
【０００４】
図８は、従来の数値キー９４で数値が入力される数値入力画面８２の第２例である。所望の数値キーが選択されて入力される。数値は、数値ウインドウ９６に表示される。数値は入力される度に桁が上がり、最後に入力された数値が１桁目に表示される。数値は、数値ウインドウ９６の桁数だけ入力可能であり、通常温度表示は３桁入力である。また、入力する数値を間違えた場合はＣボタン９８が選択されると、入力された総ての数値が消去される。入力された数値は、図７同様に書換ボタン１００が選択されると、指定のパラメータが書き換えられる。閉じボタン９８が選択されると数値入力画面８２は、操作画面２６上から消去される。
【０００５】
この出願の発明に関連する先行技術文献情報としては次のものがある。
【０００６】
【非特許文献１】
東芝機械株式会社、“東芝機械ホームページ”、［ｏｎｌｉｎｅ］、平成１４年９月２３日、［平成１４年１０月１６日検索］、インターネット＜ＵＲＬ：ｈｔｔｐ：／／ｗｗｗ．ｔｏｓｈｉｂａ−ｍａｃｈｉｎｅ．ｃｏ．ｊｐ／ｋｏｕｊｉ／ｐｒｏｄ／ｉｓ／ｓｙｓｔｅｍ．ｈｔｍｌ＞
【０００７】
【発明が解決しようとする課題】
特定の国で生産される産業機械を、他国へ輸出する場合は、制御装置に入力する制御パラメータの単位系はその他国で使用される単位系とする必要がある。すなわち、産業機械の操作は安全性の確保が必要であるため、作業者の慣れ親しんだ単位系を使用することで不要な操作がなく安全な制御が可能となるからである。一方、特定の国で生産される場合に、整備エンジニアは特定の国である場合が多々あり、他国の制御パラメータの単位系には慣れていない。
【０００８】
例えば、日本で生産されて米国へ輸出された射出成型機を、日本人のエンジニアが米国で整備する場合を考える。ここで、射出成型機の制御部では、温度入力部は米国のユーザのために華氏温度入力モードとなっている。日本人エンジニアが米国で射出成型機の整備する場合、整備する前に射出成型機の制御装置の温度入力モードを摂氏温度に変更することも可能である。この場合に２つの課題が生じる。すなわち、日本人エンジニアが万が一にも射出成型機の整備後に、制御装置の入力モードを摂氏温度入力モードに変更したまま、米国ユーザに引渡してしまうと米国ユーザが使用時にその旨、設定変更するのを忘れて摂氏温度モードにも拘わらず、華氏温度の値を入力するという誤設定をする恐れがある。また、米国ユーザへのインストラクションを兼ねた整備である場合は、当然に摂氏温度入力モードで整備すると、インストラクションを受ける米国ユーザにとって操作がしづらい。このため、華氏温度入力モードで入力する必要がある。このため、日本人エンジニアは、華氏温度入力モードで整備することを余儀なくされる。
【０００９】
そこで、日本人エンジニアは、整備において温度を電卓を片手にしながら摂氏温度から華氏温度へ変換してから入力する作業が必要となる。このため、操作が極めて煩雑となり、日本人エンジニアにとって敏速な対応と摂氏に基づいた制御が困難である。さらに不慣れな計算により計算誤り等の誤設定の原因ともなっている。
【００１０】
そこで、上記の課題を解決すべく本発明の目的は、制御装置に入力する制御パラメータの単位系を含める工学単位系の変換ができ、さらに他の演算の実施可能な制御装置を備えた産業機械の提供にある。
【００１１】
【課題を解決するための手段】
前記の目的を達成するために、本発明に係る制御手段を備える産業機械は、数値入力および機械制御用の入力手段と入力結果の表示手段を有する制御手段を備える産業機械において、入力された数値の演算手段と記憶手段とを有して入力手段によって入力された数値情報が、記憶手段に記憶されて、記憶された数値情報が演算手段の四則演算機能または工学単位変換機能によって変換されて変換値が表示される。
【００１２】
また、工学単位変換機能は、非ＳＩ単位からＳＩ単位またはＳＩ単位から非ＳＩ単位に換算する機能であっても良い。
【００１３】
さらに、演算手段は、入力された特定国の通貨単位を異なる国の通貨単位に換算する貨幣変換機能を備えることができる。
【００１４】
その上、演算手段が演算した数値結果を記憶装置に記録して、他の入力手段にこの数値結果を入力できてもよい。
【００１５】
また、本発明に係る産業機械の制御方法は、数値を機械制御用に入力してその入力結果を表示する産業機械の制御方法において、入力された数値が演算されてその結果が記憶装置に記憶されて、記憶された数値情報が演算されて、この演算が四則演算または工学単位変換であってその変換値が表示される。
【００１６】
さらに、工学単位変換は、非ＳＩ単位からＳＩ単位またはＳＩ単位から非ＳＩ単位に換算する方法であってもよい。
【００１７】
その上、演算は、入力された特定国の通貨単位を異なる国の通貨単位に換算する貨幣変換することもできる。
【００１８】
一方、演算手段が演算した数値結果を記憶装置に記録して、他の入力手段にこの数値結果を入力できる。
【００１９】
さらに、本発明に係る産業機械の制御プログラムは、数値を機械制御用に入力してその入力結果を表示する産業機械の制御プログラムにおいて、入力された数値が演算されてその結果が記憶装置に記憶されて、記憶された数値情報が演算により四則演算または工学単位変換されてその変換値が表示される。
【００２０】
【作用】
本発明による産業機械においては、入力された数値が演算されてその結果が記憶装置に記憶されて、記憶された数値情報が演算により四則演算または工学単位変換されてその変換値が表示されるので、演算方法が四則演算や、工学単位変換演算ができることで、異なる単位系の数値で産業機械の制御装置に、容易かつ正確に入力することができる。
【００２１】
【発明の実施の形態】
以下添付図面により本発明の実施の形態に基づく一実施例として前記産業機械が射出成形機である場合について詳細に説明する。図１は、本発明に係る射出成形機の制御装置の本発明に関連する点についてのシステムブロック図を示す。射出成形機の制御システムは、ＣＰＵ２を中心として表示装置４と入力装置８とプログラムメモリ１０とデータメモリ１２とインターフェース１４と電気的に接続される。さらにインターフェース１４は、ＤＡコンバータ１６とＡＤコンバータ１８と電気的に接続されるとともに、指令電流生成装置２０と温度センサ２２と電気的に接続される。また、指令電流生成装置２０は、ヒータ制御装置２４に接続されてヒータによって射出温度の制御が行なわれる。
【００２２】
ＣＰＵ２は、本システムの中央演算処理素子であり入力装置８と表示装置４とプログラムメモリ１０とデータメモリ１２とインターフェース１４とを制御する装置である。
【００２３】
入力装置８は、温度を始めとする設定パラメータを入力する装置であって、キーボードと、マウスと、テンキーと、トラックボールとその他如何なる手段であっても良く、本例では表示装置上に設けられたタッチパネルから構成される。
【００２４】
表示装置４は、温度を始めとする設定パラメータ入力結果、現状の温度その他プログラムの表示結果を表示するものである。表示装置としては、ブラウン管と、液晶ディスプレー装置、プラズマディスプレー装置と、ＥＬディスプレー装置とその他表示可能な装置であれば如何なる装置であっても良い。
【００２５】
プログラムメモリ１０は、温度制御プログラムと工学単位変換関数と貨幣単位変換関数とを有する。温度制御プログラムは、ＣＰＵ２がプログラムメモリ１０より読み出して表示装置に複数のヒータの温度設定画面を表示させる。入力装置から、各温度設定ボックスに入力されてから、ＣＰＵ２が温度制御プログラムに従って、各ヒータが設定温度となるようにヒータの電流値を制御する。
【００２６】
工学単位変換関数は、入力された数値を、表示されている単位系から、入力装置から指示する異なる単位系に変換するプログラムである。ここでは、特に摂氏温度で入力された数値を華氏温度に変換する演算がなされる。
【００２７】
貨幣単位変換関数は、入力された特定の通貨単位の金額を他の通貨単位に変更する関数である。例えば、日本円を米国ドルに変換する。
【００２８】
データメモリ１２は、プログラム実行時に必要なデータ及び入力されたデータおよび、測定されたデータを読み込み及び書込みするためのメモリである。
【００２９】
インターフェース１４は、ＣＰＵ２より送信されるヒータ制御データを指令電流生成装置２０へ送信する機能と、温度センサ２２から送信されるヒータ温度情報をＣＰＵ２へ伝達する機能を有する。なお、ＣＰＵ２とインターフェース１４およびメモリの情報伝達はデジタル情報であるのに対して、指令電流生成装置２０と、温度センサ２２とに対する情報伝達はアナログデータを使用する。
【００３０】
ＤＡコンバータ１６は、ＣＰＵ２より指令電流生成装置２０を制御するために送信されたデジタル信号を制御用のアナログ信号に変換する装置である。
【００３１】
ＡＤコンバータ１８は、温度センサ２２からの信号をデジタル化してＣＰＵ２へ送信するための装置である。
【００３２】
指令電流生成装置２０は、ヒータ制御装置２４を制御するための電流を生成する装置であり、電流の流れる方向、電流値の大きさとオンとオフを用いて制御する装置である。本装置の制御電流がアナログ電流であるために直接デジタル信号で制御できないので、ＣＰＵ２との間にＤＡコンバータ１６が設置される。
【００３３】
ヒータ制御装置２４は、ヒータ毎に設けられてそれぞれヒータを駆動するそれぞれヒータに対応する温度センサからの温度信号と予め設定された温度との差が０となるようにＣＰＵ２は、設定温度より高すぎる場合はヒータ電流を下げ、設定温度より低すぎる場合はヒータ電流を上げる信号に応じてヒータを制御する。
【００３４】
温度センサ２２は、各ヒータ毎に設けられ、ヒータの温度を例えば温度を異種金属接合間の電圧で示す熱電対で実現される。温度を検知してアナログ信号である電圧を発生させるため、ＡＤコンバータ１８を介してデジタル信号に変換してＣＰＵ２に伝達する。
【００３５】
続いて、図２乃至図５を用いて、本発明に係る射出成形機の制御装置の作用について示す。図２は、本発明に係る射出成形機の制御装置のフローチャートを示し、図３は、本発明に係る射出成形機の制御装置の操作画面を示し、図４は、本発明に係る射出成形機の制御装置の工学単位変換画面を示し、図５は、本発明に係る射出成形機の制御装置の通貨変換画面を示す。
【００３６】
図２に示すフローに従って、図３乃至５を参照しながら本発明に係る射出成形機の制御装置の作用について、摂氏温度が華氏温度に変換される場合について順を追って説明すると、第一に温度制御画面２６（図３）が表示される（Ａ２）。以下で「選択」という単語については、タッチパネル又はマウス等で所望のキーをクリックまたは、押圧等して所望のキーを指示した状態とすることである。
【００３７】
温度制御画面２６は、射出成型機の加熱バレル温度制御の操作画面であり、上部にホッパーより加熱バレルおよびノズル部までの概略図がヒータ区分ごとに表示され、その下部にヒータノズルＨＮ、ヒータゾーンＨ１、Ｈ２、Ｈ３、Ｈ４に対応してそれぞれに温度設定値ボックス２８、現在温度ボックス３０、温度偏差ボックス３２が表示される。また、画面下部には、ｓｈｉｆｔキー３４と、現在値キー３６と、温度キー３８と、圧力キー４０と、生産キー４２と、Ｉ／Ｏモニタキー４４と、電卓キー４６と、画面コピーキー４８とが表示される。
【００３８】
次に、電卓キー４６がタッチパネルで選択される（Ａ４）と、電卓画面５１がポップアップして表示される（Ａ６）（図４）。すなわち、電卓キー４６選択信号が入力装置８より入力されると、ＣＰＵ２がプログラムメモリ１０より電卓画面表示プログラムを読出して表示装置４に電卓画面５１を表示する。
【００３９】
電卓画面５１は、その中に工学単位変換選択キー５２と貨幣単位変換選択キー５４が配置される。これらのキーの選択により電卓画面５１は、工学単位変換画面５０（図４）と貨幣単位変換画面５６（図５）とを切替えることができる（Ａ８）。すなわち、プログラムメモリ１０には、工学単位変換画面５０と貨幣単位変換画面５６とが予め登録されており、入力装置８からの工学単位変換選択キー５２と貨幣単位変換選択キー５４との選択信号に応じて表示装置に選択された画面を表示させる。
【００４０】
ここで、まず、摂氏温度を華氏温度に変換するためには工学単位変換選択キー５２が選択されて工学単位変換画面５０が表示される。
【００４１】
工学単位変換画面５０は、単位５８と数値６０が表示される表示枠６２と、工学単位を指定する工学単位キー６４と、テンキー６６と、四則演算及び消去キー６８と、コピーキー７０と貼付キー７２と閉じキー７４が配置される。
【００４２】
次に摂氏温度入力のために工学単位キー６４の摂氏温度キー「℃」キーが選択される（Ａ１０）。選択によって摂氏温度入力モードとなり、表示枠６２の単位５８が「℃」となる。すなわち、入力装置８で「℃」キーが選択されるとＣＰＵ２は、表示されている単位「℃」をプログラムメモリ１０から読出して表示装置４に表示する。
【００４３】
さらに所望の摂氏温度を入力するが、テンキー６６で直接入力することもできるし、四則演算及び消去キー６８を用いて演算してから入力することもできる（Ａ１２）。入力された摂氏温度は、入力装置８から入力されて、ＣＰＵ２を介して、表示装置４に表示されるとともに、データメモリ１２の演算用キャッシュメモリに格納される。
【００４４】
（Ａ１２）工程で入力された摂氏温度が華氏温度に変換されるために、華氏キー「゜Ｆ」が選択される。「゜Ｆ」が選択されると、ＣＰＵ２はプログラムメモリ１０から、数式（１）で示される演算が読み出され、演算用キャッシュメモリに格納されたデータに対して実行される（Ａ１４）。
【００４５】
【数１】
Ｆ＝（９／５）×Ｃ＋３２        （１）
【００４６】
すなわち、工程Ａ１２で入力された数値Ｃがプログラムメモリ１０に格納された上式（１）に入力されて、ＣＰＵ２が演算して華氏温度Ｆを算出して、表示装置１４の表示枠６２に数値６０として表示する（Ａ１６）。
【００４７】
次に、算出された温度を温度制御画面２６に移動する工程である。華氏温度Ｆが表示装置１４の表示枠６２に数値６０として表示された状態で、コピーキー７０が選択される。入力装置８から入力されたコピーキー７０の選択信号に従って、ＣＰＵ２は華氏温度Ｆをデータメモリ１２の格納キャッシュメモリに格納する（Ａ１８）。
【００４８】
その後、タッチパネルで電卓画面５１下に表示される温度制御画面２６が選択されると温度制御画面２６が表示される（Ａ２０）。
【００４９】
そこで、華氏温度を入力したい項目を温度制御画面２６の温度設定値ボックス２８の中から選択する。ここで、単数のボックスを選択する場合は、設定値を選択するだけでよく、複数のボックスに入力する場合は、ｓｈｉｆｔキー３４を選択してから所望のボックスを選択することで複数のボックスが選択されうる（Ａ２２）。入力装置８からｓｈｉｆｔキー３４とボックス選択信号が入るとデータメモリ１２の一部が複数の格納キャッシュメモリとして確保される。
【００５０】
その後、再び工学単位変換画面５２が選択されて貼付キー７２が選択されると温度制御画面２６の選択されたボックスに華氏温度が入力される（Ａ２４）。すなわち、貼付キー７２の選択がなされてその信号が入力装置８より入力されてＣＰＵ２に伝達されるとＣＰＵ２はデータメモリ１２の格納キャッシュメモリに格納されたデータがＡ２２工程で確保された複数の格納キャッシュメモリに入力される。複数の格納キャッシュメモリに格納されたデータは、温度制御の設定温度としてインターフェース１４と指令電流生成装置２０を介してヒータ制御装置２４に伝達される。
【００５１】
一方、工程Ａ８で貨幣単位変換選択キー５４を選択すると、貨幣単位変換画面５６が表示される。ここで、入力する貨幣単位を貨幣単位キー７６の「￥」キー、「ＥＵＲＯ」キー、「＄」キー、「£」キー、「ｙｕａｎ」キーが表示され、それぞれ日本国通貨円、欧州統合通貨ユーロ、米国通貨ドル、英国通貨ポンド、中国通貨人民元の各変換キーである。ここで、本変換機能でドルを円換算する場合をこのフローチャートに従って示す。
【００５２】
ドル額面を入力するために、まず「＄」キーが選択される（Ａ２６）。このとき単位が＄となる。すなわち、貨幣単位キー７６が入力されると入力装置８から、ＣＰＵ２へ信号が伝達されて、ＣＰＵ２はプログラムメモリから＄変換プログラムを読み出すと共に表示装置４に＄を表示させるよう伝達する。
【００５３】
次に変換すべき米国ドルの金額Ｓをテンキー６６で直接入力することもできるし、四則演算及び消去キー６８を用いて演算してから入力することもできる（Ａ２８）。入力されたドル金額は、入力装置８から入力されて、ＣＰＵ２を介して、表示装置４に表示されるとともに、データメモリ１２の演算用キャッシュメモリに格納される。
【００５４】
（Ａ２８）工程で入力されたドル金額が円換算額に変換されるために、「￥」キーが選択される。「￥」キーが選択される（Ａ３０）と、ＣＰＵ２はプログラムメモリ１０から、数式（２）で示される演算が読み出され、演算用キャッシュメモリに格納されたデータに対して実行される（Ａ３２）。実行後、演算された金額Ｙが表示装置に表示される（Ａ３４）。ここで、Ｒａｔｅは、円ドル換算レートであって、本装置とインターネット等のネットワークと接続して、ネットワークから為替レートを入手によって最新のレートを得ることができるが、予めキー入力する場合と、レートが記録されたファイルデータをメモリデータに格納して記憶させてもよい。
【００５５】
【数２】
Ｙ＝Ｒａｔｅ×Ｓ        （２）
【００５６】
以上のように演算することで、貨幣単位変換が可能となる。
【００５７】
以上の実施例において工学単位変換として、摂氏から華氏への変換を行なったが、次の式（３）により
【００５８】
【数３】
Ｃ＝（５／９）×（Ｆ−３２）        （３）
【００５９】
華氏温度から摂氏温度への変換や、キロニュートン（ｋＮ）とトン重（ｔｆ）との相互変換、及びｌｂｓとｋｇとの相互変換、及びＭＰａとｋｇｆとｐｓｉを相互変換しても良く、ｉｎｃｈとｍｍとを相互変換しても良く、さらに、重量についてオンスｏｚとグラムｇとの間で相互変換することができる。勿論他の単位系のキーとその演算方法を登録または記録しておき変換してもよいことは当然である。
【００６０】
ここで、温度の設定値は整数３桁までなので、小数点以下の数値については四捨五入される。本入力が整数で４桁以上である場合は、エラーメッセージが出力され、現在値や偏差の欄には入力不可能である、
【００６１】
また、今回はドル円換算をしたが円ドル換算やポンド£、ユーロＥＵＲＯ、人民元等の通貨を互いに変換演算することができる。また、通貨は代表的なものをキーとしているが、これらの通貨に限定されるものではなく、他の通貨を登録又は記憶させておき、相互に変換可能とさせても良いことも当然である。
【００６２】
次に温度制御画面２６の現在値を工学単位変換画面５２にデータを貼込む場合について示す。
【００６３】
まず、温度制御画面２６の所望のヒータに対応する現在値３２が入力装置８によって選択される。
【００６４】
次に、電卓キー４６が選択されて工学単位変換画面５２が表示される。ここで、工学単位変換画面５０のコピーキー７０が選択される。ここで、入力装置８によってコピーキー７０の選択によってデータメモリ１２の格納キャッシュメモリに現在値が格納される。
【００６５】
さらに、工学単位変換画面５０の表示枠６２を選択した上で、貼付キー７２が選択されることで表示枠６２に貼込される。すなわち、入力装置８から上記信号が入力されると、格納キャッシュメモリに入力された現在値３２が演算用キャッシュメモリに入力されて表示装置４に表示される。
【００６６】
ここで、予め同じ次元の単位を設定すれば、異なる単位でも表示される。すなわち、現在値が、華氏温度であっても貼込先の単位を摂氏とすれば摂氏表現できる。
【００６７】
すなわち、摂氏温度で表示されていた演算用キャッシュメモリに格納された温度データは華氏温度に演算されて表示される。
【００６８】
この現在値の本来の表示データの単位系である、「℃」キーを選択するとリアルタイムの現在温度表示が可能となる。また、等号（＝）キーを選択することで、選択時のキーの値に固定させて表示させることができる。
【００６９】
以上のように本発明の構成とすることで、工学単位変換画面５０と温度制御画面２６間のデータの移動が容易にでき、且つ工学単位変換が自在にできる。
【００７０】
さらに、貨幣単位についても貨幣単位変更が容易に可能となる。
【００７１】
【発明の効果】
本発明による産業機械においては、制御装置に入力する制御パラメータの単位系を含める工学単位系の変換ができ、さらに他の演算の実施することができるという効果を奏する。
【図面の簡単な説明】
【図１】本発明に係る射出成形機の制御装置のシステムブロック図である。
【図２】本発明に係る射出成形機の制御装置のフローチャートである。
【図３】本発明に係る射出成形機の制御装置の操作画面である。
【図４】本発明に係る射出成形機の制御装置の工学単位変換画面である。
【図５】本発明に係る射出成形機の制御装置の通貨変換画面である。
【図６】従来の射出成形機の制御装置の操作画面である。
【図７】従来の射出成形機の制御装置の数値入力画面である。
【図８】従来の射出成形機の制御装置の数値入力画面である。
【符号の説明】
２  ＣＰＵ
４  表示装置
８  入力装置
１０  プログラムメモリ
１２  データメモリ
１４  インターフェース
１６  ＤＡコンバータ
１８  ＡＤコンバータ
２０  指令電流生成装置
２２  温度センサ
２４  ヒータ制御装置
２６  温度制御画面
３０  現在温度ボックス
３２  温度偏差ボックス
３４  ｓｈｉｆｔキー
３６  現在値キー
３８  温度キー
４０  圧力キー
４２  生産キー
４４  Ｉ／Ｏモニタキー
４６  電卓キー
４８  画面コピーキー
５０  工学単位変換画面
５１  電卓画面
５２  工学単位変換選択キー
５４  貨幣単位変換選択キー
５８  単位
６０  数値
６２  表示枠
６４  工学単位キー
６６  テンキー
６８  四則演算及び消去キー
７０  コピーキー
７２  貼付キー
７６  貨幣単位キー
７８  操作画面
８０、８２  数値入力画面
８４  数値表示
８６  アップボタン
８８  ダウンボタン
９０  書換ボタン
９２  閉じボタン
９４  数値キー
９６  数値ウインドウ
９８  Ｃボタン
１００  書換ボタン
【図１】
2004151813.tif 000003
【図２】
2004151813.tif 000004
【図３】
2004151813.tif 000005
【図４】
2004151813.tif 000006
【図５】
2004151813.tif 000007
【図６】
2004151813.tif 000008
【図７】
2004151813.tif 000009
【図８】
2004151813.tif 000010